(57)【要約】  【課題】冷蔵庫などに用いられる密閉型圧縮機に関し、低温の冷媒を圧縮室へ供給することで、高い効率を得ることを目的とする。  【解決手段】吸入管１０１の大径部開口部１１１の内周部１１９に略円筒状の弾性体１１３を配設したもので、高温である密閉容器１０９の熱を略円筒状の弾性体１１３よって断熱させることができるため、吸入管１０１を通り圧縮室１４７へ向かう冷媒を低温のまま導くことができるので、高い効率を備えた密閉型圧縮機を提供することができる。【選択図】図１
2009062956.tif 000002
【特許請求の範囲】
【請求項１】
密閉容器と、前記密閉容器に固定され前記密閉容器内に開口する開口部を有する吸入管と、前記密閉容器内に電動要素と前記電動要素によって駆動される圧縮要素とを収容し、前記圧縮要素は圧縮室を有するシリンダーブロックと、前記圧縮室内を往復動するピストンと、前記密閉容器内に連通する吸入口を有する吸入マフラーとを備え、前記吸入管の前記開口部は前記吸入マフラーの前記吸入口に近接対向するとともに、前記吸入管の前記開口部の内周部に略円筒状の弾性体を配設した密閉型圧縮機。
【請求項２】
吸入管の開口部の内周部と弾性体の外周部との間に、冷媒ガス層を形成する隙間部を設けた請求項１に記載の密閉型圧縮機。
【請求項３】
弾性体の外周部に複数の突起部を備え、前記突起部が吸入管の開口部の内周部と当接することで隙間部を形成した請求項２に記載の密閉型圧縮機。
【請求項４】
弾性体は一端にフランジ部を備え、前記フランジ部の外径は前記吸入管の開口部よりも大きく、前記フランジ部の前記吸入管側の端面は前記吸入管の前記開口部または密閉容器の内壁部に当接している請求項１から３のいずれか一項に記載の密閉型圧縮機。
【請求項５】
吸入管は、開口部近傍が拡径した大径部と拡径されていない小径部とを備え、前記小径部の内径と前記大径部に挿入された弾性体の内径とがほぼ同一である請求項１から４のいずれか一項に記載の密閉型圧縮機。
【発明の詳細な説明】
【技術分野】
【０００１】
本発明は、冷蔵庫などに用いられる密閉型圧縮機に関するものである。
【背景技術】
【０００２】
従来、高効率を目的とした密閉型圧縮機は吸入マフラーの吸入口を吸入管と近接対向したものがある（例えば、特許文献１参照）。
【０００３】
以下、図面を参照しながら上記従来の密閉型圧縮機を説明する。
【０００４】
図３は、特許文献１に記載された従来の密閉型圧縮機の縦断面図を示すものである。
【０００５】
図３において、密閉容器１に密閉容器１内に開口する吸入管２が固定され、密閉容器１内にはピストン３が往復動する圧縮室４と、消音空間５を形成する吸入マフラー６を備えた圧縮要素７を収容し、吸入マフラー６は消音空間５と密閉容器１内空間とを連通する吸入口８を設けており、吸入口８は吸入管２に近接対向している。
【０００６】
以上のように構成された密閉型圧縮機について、以下その動作を説明する。
【０００７】
圧縮要素７のピストン３が圧縮室４内を往復運動することにより、外部冷凍サイクル装置（図示せず）から流れてきた冷媒は、吸入管２を介して一旦密閉容器１内に開放されてから吸入口８を通って吸入マフラー６内に吸入され、消音空間５を通って密閉型圧縮機内に間欠的に吸入される。
【０００８】
その際冷媒は、吸入管２と吸入口８が近接して対向しているため、比較的温度が低いまま吸入マフラー６内に吸入される。その結果、冷媒の単位時間当たりの吸入質量（冷媒循環量）は大きくなり、効率が向上して密閉型圧縮機の効率が向上する。
【特許文献１】米国特許第５４９６１５６号明細書
【発明の開示】
【発明が解決しようとする課題】
【０００９】
しかしながら、上記従来の構成では、冷媒が吸入管２から密閉容器１内に開放される際、高温である密閉容器１の熱によって冷媒の温度が上昇してしまうため、吸入口８より圧縮室４へと導かれる冷媒の循環量が小さくなり十分な効率向上効果が得られなかった。
【００１０】
本発明は、上記従来の課題を解決するもので、高い効率を備えた密閉型圧縮機を提供することを目的とする。
【課題を解決するための手段】
【００１１】
上記従来の課題を解決するために本発明の密閉型圧縮機は、吸入管内の密閉容器近傍部に気体冷媒層の空間を設けたもので、高温である密閉容器の熱を気体冷媒層の空間によって断熱させることで、圧縮室へ低温の冷媒を導くという作用を有する。
【発明の効果】
【００１２】
本発明の密閉型圧縮機は、低温の冷媒を圧縮室へと導けるので、高い効率を備えた密閉型圧縮機を提供することができる。
【発明を実施するための最良の形態】
【００１３】
請求項１に記載の発明は、密閉容器と、前記密閉容器に固定され前記密閉容器内に開口する開口部を有する吸入管と、前記密閉容器内に電動要素と前記電動要素によって駆動される圧縮要素とを収容し、前記圧縮要素は圧縮室を有するシリンダーブロックと、前記圧縮室内を往復動するピストンと、前記密閉容器内に連通する吸入口を有する吸入マフラーとを備え、前記吸入管の開口部は前記吸入マフラーの前記吸入口に近接対向するとともに、前記吸入管の開口部の内周部に略円筒状の弾性体を配設したもので、高温である密閉容器の熱を略円筒状の弾性体よって断熱させることができるため、吸入管を通り圧縮室へ向かう冷媒を低温のまま導くことができるので、高い効率を備えた密閉型圧縮機を提供することができる。
【００１４】
請求項２に記載の発明は、請求項１記載の発明に加えて、吸入管の開口部の内周部と弾性体の外周部との間に、冷媒ガス層を形成する隙間部を設けたもので、冷媒ガス層の隙間部によって、高温である密閉容器の熱をさらに断熱させることができるため、吸入管を通り圧縮室へ向かう冷媒をさらに低温のまま導くことができるので、請求項１に記載の発明の効果に加えて、さらに高い効率を備えた密閉型圧縮機を提供することができる。
【００１５】
請求項３に記載の発明は、請求項２に記載の発明において、弾性体の外周部に複数の突起部を備え、前記突起部が吸入管の開口部の内周部と当接することで隙間部を形成したものであり、前記突起部を設けることによって容易に弾性体を吸入管の開口部の内周部に配設させることが出来るので、請求項２に記載の発明の効果に加えて、容易に組立が出来る密閉型圧縮機を提供することができる。
【００１６】
請求項４に記載の発明は、請求項１から３のいずれか一項に記載の発明に加えて、弾性体は一端にフランジ部を備え、前記フランジ部の外径は前記吸入管の開口部よりも大きく、前記フランジ部の前記吸入管側の端面は前記吸入管の開口部または密閉容器の内壁部に当接することで、前記隙間部の暖められた冷媒を密閉容器内に放出することなく滞留させ、かつ、フランジ部によって吸入管開口部と吸入口とが近接するように配設されるので、冷媒が密閉容器内に開放することなく、低温の冷媒を安定して圧縮室内へ導けるうえ、フランジ部が弾性体のため、吸入口を持つ吸入マフラーと接触しても破損することがなく、さらに高い効率と高信頼性を備えた密閉型圧縮機を提供することができる。
【００１７】
請求項５に記載の発明は、請求項１から４のいずれか一項に記載の発明に加えて、吸入管は、開口部近傍が拡径した大径部と拡径されていない小径部とを備え、前記小径部の内径と前記大径部に挿入された弾性体の内径とがほぼ同一であるので、冷媒流路の内径をほぼ同一にすることで冷媒の圧力損失を低減できるので、低温の冷媒を安定して圧縮室へ導けるため、請求項１から４のいずれか一項に記載の発明の効果に加えて、さらに高効率の密閉型圧縮機を提供することができる。
【００１８】
以下、本発明の実施の形態について、図面を参照しながら説明する。なお、この実施の形態によってこの発明が限定されるものではない。
【００１９】
（実施の形態１）
図１は、本発明の実施の形態１における密閉型圧縮機の縦断面図、図２は、図１の要部拡大図である。
【００２０】
図１、図２において、吸入管１０１は、開口部１０３近傍が拡径した大径部１０５と拡径されていない小径部１０７から形成され、大径部１０５は、密閉容器１０９に固定されるとともに大径部開口部１１１には、小径部１０７の内径とほぼ同一の内径を持つ略円筒状の弾性体１１３が挿入され、略円筒状の弾性体１１３の外周部１１５には複数の突起部１１７を備え、複数の突起部１１７が吸入管１０１の大径部開口部１１１の内周部１１９と当接することで冷媒ガス層１２１を形成する隙間部１２３を形成しており、さらに、略円筒状の弾性体１１３の一端にはフランジ部１２５を備え、フランジ部１２５の外径は吸入管１０１の大径部開口部１１１よりも大きく、フランジ部１２５の吸入管１０１側の端面１２７は、吸入管１０１の大径部開口部１１１、または、密閉容器１０９の内壁部１２９に当接して挿入され、また、反吸入管１０１側の端面１２７は吸入管開口部１３０を形成しており、小径部１０７は、外部冷凍サイクル装置（図示せず）の低圧側に接続されている。
【００２１】
密閉容器１０９内には固定子１３１と回転子１３３からなる電動要素１３５と電動要素１３５によって駆動される圧縮要素１３７が収容され、電動要素１３５と圧縮要素１３７は密閉容器１０９に配設されたスプリング１３９で弾性支持されている。また密閉容器１０９内には冷媒が充填されている。
【００２２】
圧縮要素１３７は回転子１３３に固定されたシャフト１４１と、シャフト１４１とピストン１４３を連結するコンロッド１４５と、ピストン１４３が往復動する圧縮室１４７と、消音空間１４９を形成する吸入マフラー１５１とを備えている。
【００２３】
吸入マフラー１５１の消音空間１４９は、圧縮室１４７を有するシリンダーブロック１５３に連通しており、消音空間１４９と密閉容器１０９内空間とを連通する吸入口１５５が吸入管１０１の大径部開口部１１１に近接対向するよう、吸入マフラー１５１の外表面１５７に形成されている。
【００２４】
以上のように構成された密閉型圧縮機について、以下その動作、作用を説明する。
【００２５】
電動要素１３５の固定子１３１が回転することにより圧縮要素１３７のピストン１４３が圧縮室１４７内を往復運動する。
【００２６】
ピストン１４３が上死点から下死点へ移動する吸入行程において、圧縮室１４７内の圧力低下に伴い吸入マフラー１５１の消音空間１４９内の冷媒が圧縮室１４７内へ吸入される。そして消音空間１４９内の圧力が低下し、吸入口１５５からは密閉容器１０９内の冷媒が吸入され、密閉容器１０９内に外部冷凍サイクル装置（図示せず）から吸入管１０１に挿入されている略円筒状の弾性体１１３のフランジ部１２５を通して冷媒が流入する。
【００２７】
次にピストン１４３が下死点から上死点へ移動する圧縮行程において、ピストン１４３は圧縮室１４７内の冷媒を圧縮し、圧縮された冷媒は冷凍サイクル装置（図示せず）へと吐出される。
【００２８】
以上のようにピストン１４３の往復運動に伴い、圧縮要素１３７は吸入行程と吐出行程を繰り返すので、消音空間１４９内の冷媒は間欠的に圧縮室１４７内へ吸入されるため、吸入口１５５からは間欠的に密閉容器１０９内の冷媒が吸入される。
【００２９】
一方、密閉容器１０９内の容積は圧縮要素１３７の気筒容積に対し、かなり大きいため、吸入口１５５からの間欠的な吸入が平滑化される。そのため冷媒は吸入管１０１に挿入されている略円筒状の弾性体１１３のフランジ部１２５を通過し冷凍サイクル装置（図示せず）から密閉容器１０９へとほぼ連続的に流入する。
【００３０】
通常、冷凍サイクル装置（図示せず）から戻ってきた冷媒は外気温度に近い温度であるが、吸入管１０１の大径部１０５内にある略円筒状の弾性体１１３内に到達した冷媒は、ほぼこの低温度を保っている。
【００３１】
一方、密閉容器１０９は高温となる圧縮要素１３７や電動要素１３５によって外気温度よりはるかに高温になっている。
【００３２】
本実施の形態では、通常熱伝導率が高い銅パイプ等が用いられている吸入管１０１の内部に熱伝導率の低い略円筒状の弾性体１１３（例えば、シリコンゴム材やフッ素ゴム材、及びポリエチレンテレフタレート（ＰＥＴ）やポリブチレンテレフタレート（ＰＢＴ）、フッ素樹脂（ＰＴＦＥ）等の樹脂材）を挿入したうえに、略円筒状の弾性体１１３の外周部１１５に備えた複数の突起部１１７を吸入管１０１の大径部開口部１１１の内周部１１９と当接することで設けられた冷媒ガス層１２１を形成する隙間部１２３によって、略円筒状の弾性体１１３よりはるかに熱伝導率の低い気体冷媒層を形成するため、熱貫流を大幅に低減させることが出来るので、密閉容器１０９の高温の熱を吸入管１０１の大径部１０５内に挿入された略円筒状の弾性体１１３内に到達した冷媒に伝え難くすることができ、冷媒の温度を低温度に保ったまま圧縮室１４７へ供給することができ、その結果、密閉型圧縮機の冷凍能力を向上させることができる。
【００３３】
また、略円筒状の弾性体１１３の一端にはフランジ部１２５を備え、フランジ部１２５の外径は吸入管１０１の大径部開口部１１１よりも大きく、フランジ部１２５の吸入管１０１側の端面１２７は、吸入管１０１の大径部開口部１１１、または、密閉容器１０９の内壁部１２９に当接して挿入されているため、密閉容器１０９の高温の熱によって暖められた冷媒ガス層１２１中の冷媒を密閉容器１０９内に放出することなく滞留させることができるので、圧縮室１４７へ暖かい冷媒を供給することがなく、その結果、さらに密閉型圧縮機の冷凍能力を向上させることができる。
【００３４】
また、略円筒状の弾性体１１３のフランジ部１２５によって吸入管開口部１３０と吸入口１５５とが近接するように配設されるので吸入管開口部１３０と吸入口１５５間で流れる冷媒ガスが、密閉容器１０９内からの温かい冷媒ガスとの熱の授受が小さく出来るので、より低温の冷媒を安定して吸入マフラー１５１そして圧縮室１４７へ導けるうえ、冷媒循環量を増加させ体積効率を向上させることが出来る。また、フランジ部１２５が略円筒状の弾性体１１３で形成されるので、吸入口１５５を持つ吸入マフラー１５１と接触しても破損することがないので、信頼性の低下を防止することの出来る密閉型圧縮機を提供することができる。
【００３５】
さらに、吸入管１０１の小径部１０７と略円筒状の弾性体１１３とが、冷媒流路の内径をほぼ同一に形成する為、冷媒の圧力損失を生じることが無いので、効率の良い密閉型圧縮機を提供することができる。
【産業上の利用可能性】
【００３６】
以上のように、本発明にかかる密閉型圧縮機は、高効率、高信頼性が可能となるので、冷凍ショーケース、除湿機エアーコンディショナーや自動販売機などに用いられる密閉型密閉型圧縮機等の用途にも適用できる。
【図面の簡単な説明】
【００３７】
【図１】本発明の実施の形態１における密閉型圧縮機の縦断面図
【図２】図１の要部拡大図
【図３】従来の密閉型圧縮機の縦断面図
【符号の説明】
【００３８】
１０１  吸入管
１０３  開口部
１０５  大径部
１０７  小径部
１０９  密閉容器
１１３  略円筒状の弾性体
１１５  外周部
１１７  複数の突起部
１１９  内周部
１２１  冷媒ガス層
１２３  隙間部
１２５  フランジ部
１２７  端面
１２９  内壁部
１３５  電動要素
１３７  圧縮要素
１４３  ピストン
１４７  圧縮室
１５１  吸入マフラー
１５３  シリンダーブロック
１５５  吸入口
【図１】
2009062956.tif 000003
【図２】
2009062956.tif 000004
【図３】
2009062956.tif 000005